(57)【特許請求の範囲】
【請求項１】
剃刀ハンドルであって、
− シェービングカートリッジ（１６）を受けて解放可能に保持する湾曲可能なヨーク（２２）で終端する細長いハンドル本体（１４）であって、前記ヨーク（２２）が２つの湾曲可能な腕部（２４）を備えているハンドル本体（１４）と、
− 前記ヨーク（２２）と協働し、前記ハンドル本体（１４）に接続されたスライド素子（２０）であって、当該スライド素子が、前記ヨーク（２２）が開口して前記シェービングカートリッジ（１６）を解放可能に保持する静止位置と、前記ヨーク（２２）が固定され前記シェービングカートリッジ（１６）を受けるまたは前記ヨーク（２２）内に受けられた前記シェービングカートリッジ（１６）を開放する開放位置と、の間で前記ハンドル本体（１４）に対して移動可能である、スライド素子と、
− 前記スライド素子（２０）を前記開放位置から前記静止位置まで復帰させるバネ部材（３６）と、
を備え、
前記剃刀ハンドルは、停止素子（５６、５８）をさらに備え、前記スライド素子（２０）が前記静止位置にあると、前記ヨーク（２２）が不意に曲がることを防止するようになっており、前記停止素子（５６、５８）は、２つのロケータ部（５６）を備え、かつ、前記２つの腕部（２４）のそれぞれは、前記スライド素子（２０）が前記静止位置にある間に、対応する前記ロケータ部（５６）に対して当接する内面（５８）を有することを特徴とする剃刀ハンドル。
【請求項２】
前記停止素子（５６）が、前記スライド素子（２０）に設けられていることを特徴とする請求項１に記載の剃刀ハンドル。
【請求項３】
前記ヨーク（２２）が、前記スライド素子（２０）が前記開放位置にあると、内側に曲がることを特徴とする請求項１または２に記載の剃刀ハンドル。
【請求項４】
前記腕部（２４）それぞれには、カムフォロワ（５０）が設けられ、
前記スライド素子（２０）が、２つのカム（５２）をさらに備え、
前記カムフォロワ（５０）が、前記カム（５２）によって駆動され、前記腕部（２４）を曲げることを特徴とする請求項１から３のいずれか１項に記載の剃刀ハンドル。
【請求項５】
前記カムフォロワ（５０）それぞれが、前記カム（５２）の運動に抵抗をもたらす隆起部（５４）が設けられた非線形面を備えることを特徴とする請求項４に記載の剃刀ハンドル。
【請求項６】
前記腕部（２４）には、シェルベアリング（２６）が設けられており、
前記ヨーク（２２）が、前記シェービングカートリッジ（１６）を回動可能に受けることを特徴とする請求項４または５に記載の剃刀ハンドル。
【請求項７】
前記ハンドル本体（１４）には、一対の細長いトラック部（４２）がさらに設けられており、
前記スライド素子（２０）には、前記トラック部（４２）に沿って線形に移動可能な突出部（４４）をさらに備えて当該スライド素子（２０）を案内し、
前記スライド素子（２０）が、ラッチ素子（４６）を備えて前記ハンドル本体（１４）に前記スライド素子（２０）を持続的にかつスライド可能に保持することを特徴とする請求項１から６のいずれか１項に記載の剃刀ハンドル。
【請求項８】
前記バネ部材が、前記スライド素子（２０）に設けられ、前記ハンドル本体（１４）に設けられた支持面（３８）を当接支持する板バネ（３６）を備えることを特徴とする請求項１から７のいずれか１項に記載の剃刀ハンドル。
【請求項９】
前記ハンドル本体（１４）には、前記シェービングカートリッジ（１６）を前記静止位置に向けて付勢する弾性舌部（３０）がさらに設けられていることを特徴とする請求項１から８のいずれか１項に記載の剃刀ハンドル。
【請求項１０】
前記スライド素子（２０）には、プッシャ（３４）がさらに設けられており、前記シェービングカートリッジ（１６）を前記ハンドル本体（１４）から離間するように押圧することを特徴とする請求項１から９のいずれか１項に記載の剃刀ハンドル。
【請求項１１】
請求項１から１０のいずれか１項に記載の剃刀ハンドルと、前記剃刀ハンドル（１２）に接続された剃刀カートリッジ（１６）と、を備えることを特徴とする剃刀。
【発明の詳細な説明】
【技術分野】
【０００１】
本発明は、シェービングカートリッジに解放可能に接続された剃刀ハンドル及びこのようなハンドルを有する剃刀に関する。
【０００２】
より詳しくは、本発明は、
−  シェービングカートリッジを受けて解放可能に保持する湾曲可能なヨークで終端する細長いハンドル本体と、
−  上記ヨークと協働し、かつ上記ハンドル本体に接続されたスライド素子であって、当該スライド素子が、ヨークが開口してヨークに受けられるシェービングカートリッジを解放可能に保持する静止位置と、ヨークが固定されてシェービングカートリッジを受けるまたはヨークに受けられたシェービングカートリッジを開放する開放位置と、の間でハンドル本体に対して移動可能である、スライド素子と、
−  上記スライド素子を開放位置から静止位置まで復帰させるバネ部材と、
を備える剃刀ハンドルに関する。
【０００３】
このような剃刀ハンドルは、これに接続されるシェービングカートリッジを保持しかつ使用後に解放することを可能とする。１回のまたは数回の使用後、ユーザは、シェービングカートリッジを経て、ユーザが新たなシェービングカートリッジを接続する剃刀ハンドルを保持する。
【背景技術】
【０００４】
例えば特許文献１に開示されたこれらと同様の公知の剃刀において、剃刀ハンドルは、本体であって当該と協働するアクチュエータをスライドさせるにしたがって湾曲可能な湾曲可能ヨークが設けられ、ヨーク内で回動しかつ開放可能な態様でシェービングカートリッジを受けて保持することを容易にする本体を有する。
【０００５】
したがって、ヨークが曲がると、シェービングカートリッジを開放する。
【０００６】
その結果、このような剃刀を使用することは、特に、彼または彼女が彼自身／彼女自身をシェービングカートリッジの刃先で切ってしまうので、ユーザにとって危険となることがある。この危険性は、このような剃刀を子供が操作する状態で、またはより具体的にはシェービングカートリッジの突発的な開放を引き起こすいくつかの衝撃に剃刀がさらされるために移動時に、発生する。実際には、ユーザが彼の／彼女のバッグ内にある彼／彼女の剃刀を取ろうとすると、彼は、シェービングカートリッジを掴んで彼自身を切ることがある。
【先行技術文献】
【特許文献】
【０００７】
【特許文献１】英国特許第２０９３７５０号明細書
【発明の概要】
【発明が解決しようとする課題】
【０００８】
本発明の１つの目的は、これら欠点を回避することである。
【課題を解決するための手段】
【０００９】
そのために、本発明において、剃刀ハンドルは、停止素子をさらに備え、スライド素子が静止位置にあるときにヨークが不意に曲がることを防止する。
【００１０】
したがって、ヨークに衝撃または不注意な操作がある場合、シェービングカートリッジは、開放されない。
【００１１】
本発明のさまざまな態様において、１つ及び／または他の以下の特徴、
−  停止素子が、スライド素子に設けられていること、
−  ヨークが、スライド素子が開放位置にあると内側に曲がること、
−  ヨークが２つの湾曲可能な腕部を備え、腕部それぞれにはカムフォロワが設けられ、スライド素子が２つのカムをさらに備え、上記カムフォロワが上記カムによって駆動されて腕部を曲げること、
−  カムフォロワそれぞれが、カムの移動に抵抗をもたらす隆起部が設けられた非線形面を備えること、
−  停止素子が、２つのロケータ部を備え、２つの腕部が、スライド素子が静止位置にある間に対応するロケータ部に対して当接する内面を有すること、
−  腕部にはシェルベアリングが設けられており、ヨークがシェービングカートリッジを回動可能に受けること、
−  ハンドル本体には一対の細長いトラック部がさらに設けられており、スライド素子には上記トラック部に沿って線形移動可能な突出部がさらに設けられてスライド素子を案内し、上記スライド素子がラッチ素子を備え、ハンドル本体にある上記スライド素子を持続的にかつスライド可能に保持すること、
−  バネ部材が、スライド素子に設けられかつハンドル本体に設けられた支持面に設けられて当接する板バネを備えること、
−  ハンドル本体には、シェービングカートリッジを静止位置に向けて付勢する弾性舌部がさらに設けられていること、
−  スライド素子には、プッシャが設けられ、シェービングカートリッジをハンドル本体から離間するように押圧すること、
を組み合わせてもよい。
【００１２】
また、本発明は、シェービングカートリッジに接続されたこのような剃刀ハンドルを備える剃刀に関する。
【００１３】
本発明の上記及び他の目的及び有利な点は、添付の図面と共に考慮することで、本発明の１つの実施形態における詳細な説明から明らかになるだろう。
【図面の簡単な説明】
【００１４】
【図１Ａ】本発明における剃刀を示す斜視図である。
【図１Ｂ】本発明における剃刀を示す斜視図であって、シェービングカートリッジを開放した斜視図である。
【図２】本発明における剃刀を示す分解斜視図である。
【図３Ａ】図１Ａに示す剃刀の線IIIＡ−IIIＡに沿う長手方向断面図である。
【図３Ｂ】図１Ｂに示す剃刀の線IIIＢ−IIIＢに沿う長手方向断面図である。
【図４Ａ】図２Ａに示す剃刀の線IVＡ−IVＡに沿う長手方向断面図である。
【図４Ｂ】図２Ｂに示す剃刀の線IVＢ−IVＢに沿う長手方向断面図である。
【図５】剃刀ハンドルを示す部分上面図である。
【図６】スライド素子を示す長手方向断面図である。
【図７】図３Ａに示す剃刀の線VII−VIIに沿う横断面図である。
【図８Ａ】図２Ａに示す剃刀の線VIIIＡ−VIIIＡに沿う長手方向断面図である。
【図８Ｂ】図２Ｂに示す剃刀の線VIIIＢ−VIIIＢに沿う長手方向断面図である。
【発明を実施するための形態】
【００１５】
図１Ａは、使い捨て可能なシェービングカートリッジ１６を解放可能に保持するハンドル本体１４を有する剃刀ハンドル１２を備える剃刀１０を示している。好ましくはプラスチック材料から成形されたハンドル本体１４は、好ましくは細長く、前端部１４Ａと後端部１４Ｂとの間で長手方向Ｃ−Ｃに沿って延在する。その上、シェービングカートリッジ１６には、１以上の刃１８が設けられており、刃それぞれは、シェービングカートリッジ１６を剃刀ハンドル１２に接続すると長手方向Ｃ−Ｃに垂直な回動軸Ａ−Ａと平行に延在する刃先１８Ａを有する。
【００１６】
剃刀ハンドル１２は、（以下で詳述するように）剃刀ハンドル１２にロック式に接続され、図１Ａに示す静止位置と図１Ｂに示す開放位置との間で及び逆も同様に移動可能なスライド素子２０をさらに備える。その静止位置（図１Ａ）において、スライド素子２０は、ハンドル本体１４の後端部１４Ｂに向けて後方に位置するが、その開放位置（図１Ｂ）において、スライド素子は、ハンドル本体１４の前端部１４Ａに向けて前方に位置する。
【００１７】
ハンドル本体１４は、湾曲可能なヨーク２２で終端し、このヨークは、図１Ａに示すように、シェービングカートリッジ１６を受けて解放可能に保持するために、前方に向けて延在する。ヨーク２２は、長手方向Ｃ−Ｃの両側から前方に向けて延在する２つの湾曲可能な腕部２４を備える。ヨーク２２は、スライド素子２０がその静止位置にあると、その開口位置にあるが、スライド素子２０がその開放位置にあると、曲がる。
【００１８】
各腕部２４には、接続手段が設けられており、この接続手段は、シェービングカートリッジ１６に設けられた接続手段それぞれに腕部を接続することを可能とする。これら接続手段は、シェービングカートリッジを回動可能に接続するために通常使用される接続手段であり、これらは、例えば、ジャーナルベアリング、シェルベアリングなどである。
【００１９】
図に示す実施例において、周知のシェルベアリング２６は、シェービングカートリッジ１６に向けて前方に延在する２つの腕部２４それぞれの自由端部に設けられている。これらシェルベアリング２６は、対応する後方に突出する接続部２８に接続されており、この接続部は、弓形に形付けられており、（図１Ｂ及び図２において最もよく分かるように）シェービングカートリッジ１６に設けられている。この接続は、他の公知のタイプからなってもよく、ここでは詳述しない。
【００２０】
図２、図３Ａ及び図３Ｂにおいて最もよく分かるように、ハンドル本体１４には、シェービングカートリッジ１６を静止位置に向けて付勢する弾性舌部３０がさらに設けられている。この弾性舌部３０は、ハンドル本体１４と単一片として成形されており、好ましくは長手方向Ｃ−Ｃを中心として沿って延在する。この弾性舌部３０は、好ましくはシェルベアリング２６を越えて、より正確には、弾性舌部３０のさらに前方にある先端部３１は、シェルベアリング２６のまたは回動軸Ａ−Ａに垂直な平面においてシェルベアリング２６から側方に延在するフランジ部２７の任意の部分よりも、回動軸Ａ−Ａに近接する。
【００２１】
上記弾性舌部３０には、シェービングカートリッジ１６に設けられた対応するカム面３２と協働するツインカムフォロワ(twin-cam follower)３０Ａが設けられており、シェービングカートリッジが少なくとも２方向で回動することを可能とし、静止位置は、例えば中途位置に対応する。しかしながら、弾性舌部には、シェービングカートリッジに設けられた対応するカム面と協働するシングルカムフォロワ(single-cam follower)（図示略）が設けられてもよく、シェービングカートリッジが一方向にのみ回動することを可能とする。
【００２２】
スライド素子２０には、剃刀ハンドル１２に接続されたシェービングカートリッジ１６をハンドル本体１４から離間するように押圧するプッシャ３４がさらに設けられている。スライド素子２０がその開放位置においてシェービングカートリッジ１６に向けて前方にスライドすると、ヨーク２２の腕部２４は、図１Ｂに示すように、好ましくは内側に曲がり、シェルベアリング２６を後方に突出する接続部２８から分離させる。一方では、同様に前方に移動される（スライド素子２０に設けられた）プッシャ３４は、シェービングカートリッジ１６をハンドル本体１４から離間するように押圧する。
【００２３】
バネ部材は、剃刀ハンドル１２にさらに設けられており、スライド素子２０を（図１Ｂに示す）開放位置から（図１Ａに示す）静止位置まで復帰させる。より具体的には、このバネ部材は、スライド素子２０に設けられかつ（図３Ａ、図３Ｂ、図４Ａ及び図４Ｂで最もよく分かるように）ハンドル本体１４に設けられた支持面３８に当接して支持される板バネ３６を備えている。（図５で最もよく分かるように）ハンドル本体１４に設けられた中央溝部４０は、板バネ３６を収容する凹所を形成する。中央溝部４０には、支持面３８を形成しかつ斜面形状を有するリブが設けられている。
【００２４】
どの場合でも、この支持面３８は、板バネ３６に対する動力源を形成し、スライド素子２０を開放位置からその静止位置まで戻して復帰させる。
【００２５】
実際には、板バネ３６、より具体的にはその自由端部３６Ａは、静止位置において支持面３８と接触しており、スライド素子２０をその開放位置に向けて前方に押圧すると、板バネ３６は、スライド素子２０にかかる力が発生する（ユーザがスライド素子２０を押圧する）限り、弾性変形し始めてエネルギーを蓄積する。この蓄積されたエネルギーは、スライド素子２０にかかる力が停止するので解放され、スライド素子２０は、自然にその静止位置までスライドして戻る。
【００２６】
ここで、どのようにスライド素子２０をハンドル本体１４に接続するか、及びどのようにヨーク２２を湾曲させるかについて説明する。
【００２７】
一方で、ハンドル本体１４には、一対の細長いトラック部４２がさらに設けられており、トラック部４２は、中央溝部４０の両側に位置しており、長手方向Ｃ−Ｃに沿って延在する（図５参照）。
【００２８】
他方で、スライド素子２０には、上記トラック部４２に沿って線形移動可能な突出部４４（図６参照）がさらに設けられており、ハンドル本体１４に対してスライド移動するスライド素子２０を案内する。
【００２９】
持続的に（ロック式に）かつスライド可能に上記スライド素子２０をハンドル本体１４に保持するため、スライド素子２０は、ラッチ素子４６をさらに備える。より正確には、ラッチ素子４６は、２つのフック部４６を備え、これら２つのフック部は、図７で最もよく分かるように、長手方向Ｃ−Ｃの両側において中央溝部４０の内側に延在し、ハンドル本体１４に設けられた対応する細長い縁部４８とスナップ係合する。
【００３０】
スライド素子２０は、ハンドル本体１４にスナップ嵌合されている。実際には、スライド素子２０をハンドル本体１４に取り付けると、フック部４６は、中央溝部４０の内側に導入されかつ縁部４８の側面に沿ってスライドするために、共に押圧される。一方では、スライド素子２０は、フック部４６が縁部の自由端部４８’に到達するまで、ハンドル本体の上面に向けて押圧され、フック部は、互いに離間して肩部を形成する縁部４８の自由端部４８’を覆う。
【００３１】
その上、図４Ａ、図４Ｂ、図５、図８Ａ及び図８Ｂで最もよく分かるように、ハンドル本体１４に設けられた２つの腕部２４それぞれには、カムフォロワ５０が設けられており、スライド素子は、２つのカム５２をさらに備え、カムフォロワ５０は、上記カム５２によって駆動され、スライド素子２０をその開放位置に押圧すると、腕部２４を曲げる。
【００３２】
カムフォロワ５０それぞれは、非線形面５０を備える。より具体的には、カム５２は、カムフォロワ５０と係合し、腕部２４を駆動させる。カムフォロワ５０は、好ましくは長手方向Ｃ−Ｃに関して後方から前方まで互いに離間するように傾き、スライド素子２０がその開放位置に向けて前方に移動すると、ヨーク２２は、内側に曲がり、一方では、スライド素子２０がその静止位置に向けて後方に復帰すると、ヨーク２２は、その開口位置においてそれて後退する。
【００３３】
その上、剃刀ハンドルの衝撃に対する耐性を改良するためかつスライド素子２０が不意に前方に向けて移動する危険性を低減するため、カムフォロワ５０それぞれを形成する面には、カム５２の移動に対する抵抗をもたらす隆起部５４がさらに設けられている。実際には、隆起部は、あたかも、カムフォロワ５０それぞれを隆起部５４によって最も前方の部分に対応する前方部分５０Ａと最も後方の部分に対応する後方部分５０Ｂとの２つの部分に分離する。
【００３４】
静止位置（図４Ａ及び図８Ａ参照）において、カム５２は、後方部分５０Ｂに位置しており、好ましくは、隆起部５４と接触するまたは少なくとも隆起部５４に近接する一方で、開放位置（図４Ｂ及び図８Ｂ参照）において、カム５２は、前方部分５０Ａに位置する。
【００３５】
ハンドル１２に接続されたシェービングカートリッジ１６を開放するため、ユーザは、スライド素子２０の抵抗を克服しなければならない。実際には、隆起部５４に当接するカム５２の抵抗は、ユーザから力を受ける。静止位置（図４Ａ及び図８Ａ参照）から、ユーザがこの抵抗を克服して彼の指の１本をスライド素子２０に設けられた指載置領域５５に維持したままスライド素子２０を前方に押圧し続けると、カムフォロワ５０は、カム５２に沿って案内する。カム５２が隆起部５４を通過するので、これらは、前方部分５０Ａに到達する。一方では、腕部２４は、内側に曲がりながら互いに近接し、シェルベアリング２６は、シェービングカートリッジ１６にある後方に突出する接続部２８から離間する。プッシャ３４は、剃刀ハンドル１２に接続されているシェービングカートリッジ１６をハンドル本体１４から離間するように押圧し、シェービングカートリッジ１６の開放に至る。
【００３６】
ユーザがスライド素子２０を開放すると、板バネ３６に蓄積されたエネルギーにより、スライド素子２０は、その静止位置に戻るように復帰し、カムフォロワ５０は、カム５２に沿って案内する。カム５２が隆起部５４を通過するので、これらは、後方部分５０Ｂに到達する。一方では、腕部２４は、互いに離間し、ヨーク２２は、その開口位置に復帰する。
【００３７】
腕部２４が不意に曲がることを避けるため、剃刀ハンドル１２には、停止素子がさらに設けられている。図４Ａ、図４Ｂ、図８Ａ及び図８Ｂで最もよく分かるように、停止素子は、スライド素子２０に設けられた２つのロケータ部５６と、対応するロケータ部５６が静止位置において当接する２つの腕部２４それぞれに設けられた内面５８と、を好ましくは備える。
【００３８】
２つのロケータ部５６は、長手方向Ｃ−Ｃの両側に並ぶ剃刀ハンドル１２の底部部分に向けて延在する。より正確には、２つのロケータ部５６は、弾性舌部３０の両側に位置する。ロケータ部５６は、長手方向Ｃ−Ｃに関して対称に位置しており、ロケータ部５６の２つの外（外側）面５６’間で取ると距離Ｄ５６だけ互いに離間している。
【００３９】
内面５８それぞれは、長手方向Ｃ−Ｃの両側において側方に延在する長手方向フランジ部と同様である。内面５８は、長手方向Ｃ−Ｃに関して対称的に位置しており、ロケータ部５６を離間させる距離Ｄ５６と同等または若干大きい距離Ｄ５８だけ互いに離間している。好ましくは、静止位置において、値Ｄ５８から値Ｄ５６の関係は、１％から１０％、より好ましくは約５％である。内面５８の距離Ｄ５８は、腕部２４を曲げる開放位置において静止位置におけるよりも小さい。
【００４０】
長さＬ５８、長さＬ５６、内面５８の形状及び位置、並びにロケータ部５６の形状及び位置は、それぞれスライド素子がその静止位置にある間に腕部２４を互いに押圧するときにのみ内面５８がロケータ部５６に対して当接するように、当業者に選択される。
【００４１】
例えば、スライド素子２０がその静止位置にあると、好ましくは長方形状を有するロケータ部５６は、完全に後退し、好ましくは平面である内面５８の前方にほぼ位置し、これは、ロケータ部５６の最も前方の部分５６Ａが、図４Ａ及び図８Ａに示すように、内面５８の部分の多かれ少なかれ前方にあることを意味する。スライド素子２０がその開放位置にあると、ロケータ部５６は、前方に完全に延出し、ロケータ部のすべての部分が内面５８の前方に位置せず、これは、ロケータ部５６の最も後方の部分５６Ｂが、図４Ｂ及び図８Ｂに示すように、内面５８の前方の部分５８Ａから離間していることを意味する。
【００４２】
この場合において、値Ｄ５８から値Ｄ５６の関係は、好ましくは、５％から２０％である。
【００４３】
スライド素子２０がその静止位置からその開放位置まで移動すると、ロケータ部５６は、前方に向けてスライドして内面５８から離間するように移動する。したがって、ロケータ部５６がもはや内面５８の前にないので、ヨーク２２、より正確には腕部２４は、曲がる。
【００４４】
静止位置（図４Ａ及び図８Ａ参照）において、ロケータ部５６は、内面５８に当接または少なくとも内面５８の前にあり、ヨーク２２は、その開口位置にある。（例えば移動中の衝撃により、または子供によって不注意に使用されることにより）腕部２４を互いに押圧すると、腕部２４は、それら内面５８がロケータ部５６に対して当接するので、曲がらない。ロケータ部５６は、変形しないように十分に硬質であるので、ロケータ部は、腕部２４の湾曲を実際には防止する。その結果、シェービングカートリッジ１６は、無意識には開放しない。
【００４５】
開放位置（図４Ｂ及び図８Ｂ）において、ロケータ部５６は、内面５８から離間している。したがって、腕部２４を互いに押圧すると、腕部２４は、それら内面５８がロケータ部５６に対して当接しないので、曲がり、シェービングカートリッジ１６は、開放される。
【００４６】
実際に剃刀ハンドル１２に接続されたシェービングカートリッジ１６を開放するため、スライド素子２０を前方に押圧しなければならず、隆起部５４の抵抗を克服しなければならず、その後にのみ、シェービングカートリッジ１６の開放が発生する。
【００４７】
本発明により、シェービングカートリッジを剃刀ハンドルから不意に開放する危険性であって特に移動時に剃刀、より具体的にはアクチュエータを複数回の衝撃にさらすために発生する危険性が低減される。
【００４８】
ハンドル本体１４及びスライド素子は、好ましくは、成形可能な硬質プラスチック材料で形成される。スライド素子２０に一体化される板バネ３６の弾性は、好ましくは、その具体的な形状（幅に対して長さの比率が高く、厚さに対して長さの比率が高い）に起因する。
【符号の説明】
【００４９】
１０  剃刀、１２  剃刀ハンドル，ハンドル、１４  ハンドル本体、１６  シェービングカートリッジ、２０  スライド素子、２２  ヨーク、２４  腕部、３０  弾性舌部、３４  プッシャ、３６  板バネ（バネ部材）、３８  支持面、４２  トラック部、４４  突出部、４６  ラッチ素子，フック部、５０  カムフォロワ，非線形面、５２  カム、５４  隆起部、５６  ロケータ部（停止素子）、５８  内面（停止素子）
【図１Ａ】
0005497046.tif 000002
【図１Ｂ】
0005497046.tif 000003
【図２】
0005497046.tif 000004
【図３Ａ】
0005497046.tif 000005
【図３Ｂ】
0005497046.tif 000006
【図４Ａ】
0005497046.tif 000007
【図４Ｂ】
0005497046.tif 000008
【図５】
0005497046.tif 000009
【図６】
0005497046.tif 000010
【図７】
0005497046.tif 000011
【図８Ａ】
0005497046.tif 000012
【図８Ｂ】
0005497046.tif 000013